(57)【要約】【課題】予備系の光伝送路を用いた耐障害性の高い通信サービスを実現しつつ、光伝送路の使用効率を高めることを目的とする。【解決手段】第１の光信号群及び第２の光信号群を送受信する光通信装置は、前記第１の光信号群から当該光通信装置宛の光信号を分岐し、前記第１の光信号群に当該光通信装置発の光信号を挿入する第１の光信号分岐挿入手段と、前記第２の光信号群から当該光通信装置宛の光信号を分岐し、前記第２の光信号群に当該光通信装置発の光信号を挿入する第２の光信号分岐挿入手段と、前記第１の光信号群を伝送する光伝送路に障害が検知された場合、障害の検知前に前記第２の光信号群を伝送していた光伝送路を用いて前記第１の光信号群を伝送する経路切替手段と、を有する。【選択図】図３
2011172024.tif 000002
【特許請求の範囲】
【請求項１】
第１の光信号群及び第２の光信号群を送受信する光通信装置であって、
前記第１の光信号群から当該光通信装置宛の光信号を分岐し、前記第１の光信号群に当該光通信装置発の光信号を挿入する第１の光信号分岐挿入手段と、
前記第２の光信号群から当該光通信装置宛の光信号を分岐し、前記第２の光信号群に当該光通信装置発の光信号を挿入する第２の光信号分岐挿入手段と、
前記第１の光信号群を伝送する光伝送路に障害が検知された場合、障害の検知前に前記第２の光信号群を伝送していた光伝送路を用いて前記第１の光信号群を伝送する経路切替手段と、
を有する光通信装置。
【請求項２】
前記経路切替手段は、前記第１の光信号群を伝送する光伝送路の出力側に障害が検知された場合、前記第１の光信号群を、前記第１の光信号分岐挿入手段を経由し、且つ、前記第２の光信号分岐挿入手段を経由せずに、前記第２の光信号群を伝送していた光伝送路の出力側に送信する、請求項１に記載の光通信装置。
【請求項３】
前記経路切替手段は、前記第１の光信号群を伝送する光伝送路の入力側に障害が検知された場合、前記第１の光信号群を、前記第２の光信号分岐挿入手段を経由せずに、且つ、前記第１の光信号分岐挿入手段を経由して、前記第２の光信号群を伝送していた光伝送路の入力側から受信する、請求項１に記載の光通信装置。
【請求項４】
前記経路切替手段は、前記第１の光信号群を伝送する光伝送路に障害が検知された場合、前記第１の光信号群が使用していない波長を用いて前記第２の光信号群を伝送する波長分離手段を有する、請求項１乃至３のうちいずれか１項に記載の光通信装置。
【請求項５】
前記波長分離手段は、前記第１の光信号群を伝送する光伝送路に障害が検知された場合、前記第１の光信号群が使用していない波長を前記第２の光信号分岐手段に出力する、請求項４に記載の光通信装置。
【請求項６】
前記第１の光信号分岐挿入手段は、波長単位の光パスで伝送される光信号を分岐及び挿入する、請求項１乃至５のうちいずれか１項に記載の光通信装置。
【請求項７】
前記第２の光信号分岐挿入手段は、単一波長又は複数波長で構成された光パケットで伝送される光信号を分岐及び挿入する、請求項１乃至６のうちいずれか１項に記載の光通信装置。
【請求項８】
前記第１の光信号分岐挿入手段は、優先度の高い光信号を分岐及び挿入し、
前記第２の光信号分岐挿入手段は、優先度の低い光信号を分岐及び挿入する、請求項１乃至７のうちいずれか１項に記載の光通信装置。
【発明の詳細な説明】
【技術分野】
【０００１】
本発明は、光通信装置に関する。
【背景技術】
【０００２】
近年、光ファイバを介してリング状に接続された光通信システムとして、波長単位で光信号の挿入・分岐が可能な光ＡＤＭ（Add/Drop Multiplexer）を用いた光ＡＤＭ通信システムが知られている（例えば、特許文献１参照）。光ＡＤＭ通信システムでは、２つのノード間に波長単位で光パスを設定し、この光パスを使ってノード間で通信ができるように構成されている。ここで、光ファイバを双方向化して、一方を現用系、他方を予備系として冗長化すれば、現用系の光ファイバが故障した場合でも、予備系の光ファイバを使用できるので、耐障害性が向上する。
【先行技術文献】
【特許文献】
【０００３】
【特許文献１】特開２００９−２０６７９７号公報
【非特許文献】
【０００４】
【非特許文献１】松本他，プリアンブル遅延によるラベル更新処理を用いた自己ルーチング型光パケット転送機構，電子情報通信学会論文誌Ｂ，Vol.J91-B，No.10，pp.1244-1253，Oct. 2008
【発明の概要】
【発明が解決しようとする課題】
【０００５】
しかしながら、上記のような双方向光ＡＤＭ通信システムでは、障害が発生していない場合には予備系の光伝送路は実効的に使用されないので、全体の帯域使用効率が低下してしまうという問題がある。
【０００６】
本発明は、予備系の光伝送路を用いた耐障害性の高い通信サービスを実現しつつ、光伝送路の使用効率を高めることを目的とする。
【課題を解決するための手段】
【０００７】
上記の課題を解決するため、本発明の光通信装置は、
第１の光信号群及び第２の光信号群を送受信する光通信装置であって、
前記第１の光信号群から当該光通信装置宛の光信号を分岐し、前記第１の光信号群に当該光通信装置発の光信号を挿入する第１の光信号分岐挿入手段と、
前記第２の光信号群から当該光通信装置宛の光信号を分岐し、前記第２の光信号群に当該光通信装置発の光信号を挿入する第２の光信号分岐挿入手段と、
前記第１の光信号群を伝送する光伝送路に障害が検知された場合、障害の検知前に前記第２の光信号群を伝送していた光伝送路を用いて前記第１の光信号群を伝送する経路切替手段と、
を有することを特徴とする。
【発明の効果】
【０００８】
本発明の実施例によれば、予備系の光伝送路を用いた耐障害性の高い通信サービスを実現しつつ、光伝送路の使用効率を高めることができる。
【図面の簡単な説明】
【０００９】
【図１】本発明の実施例に係る光通信システムの構成例
【図２】本発明の実施例で用いられる光パケットの構成例
【図３】本発明の実施例に係る光通信装置の構成例
【図４】光ファイバに障害が検知された場合の信号経路を示す図
【図５】光ファイバに障害が検知された場合の信号経路を示す図
【図６】光パスＡＤＭの構成例
【図７】光パケットＡＤＭの構成例
【図８】障害が発生していない場合の光パス／光パケット経路
【図９】障害が検知された場合の光パス経路
【図１０】本発明の別の実施例に係る光通信装置の構成例
【図１１】障害が検知された場合の光パス/光パケット経路
【発明を実施するための形態】
【００１０】
以下、図面を参照して本発明の実施例について説明する。
【００１１】
本発明では、第１の光信号群及び第２の光信号群を送受信する光通信装置が用いられる。光通信装置は、第１の光信号群から当該光通信装置宛の光信号を分岐し、第１の光信号群に当該光通信装置発の光信号を挿入する第１の光信号分岐挿入手段と、第２の光信号群から当該光通信装置宛の光信号を分岐し、第２の光信号群に当該光通信装置発の光信号を挿入する第２の光信号分岐挿入手段とを有する。
【００１２】
障害が発生しない場合、例えば、第１の光信号群を伝送する光伝送路は、現用系の光伝送路に相当し、第２の光信号群を伝送する光伝送路は、予備系の光伝送路に相当する。この場合、第１の光信号分岐挿入手段は、現用系の光信号を分岐挿入し、第２の光信号分岐挿入手段は、予備系の光信号を分岐挿入する。現用系の光伝送路では、波長単位の光パスが用いられ、予備系の光伝送路では、単一波長又は複数波長で構成された光パケットが用いられてもよい。現用系の光伝送路に障害が検知された場合、現用系の光伝送路に収容されていた光パスを予備系の光伝送路で伝送する。このようにして、予備系の光伝送路を用いた耐障害性の高い通信サービスが実現される。
【００１３】
また、現用系の光伝送路では、優先度の高い通信サービスが提供され、予備系の光伝送路では、優先度の低い通信サービスが提供されてもよい。このように伝送信号に優先度を付け、予備系の光伝送路で優先度の低いサービスを提供することにより、光伝送路の使用効率を高めることができる。
【００１４】
＜実施例１＞
図１は、本発明の実施例に係る光通信システムの構成例を示す図である。光通信システムは、光通信装置１ａ、１ｂ、１ｃ及び１ｄと、これらの光通信装置を接続する光ファイバ２ａ、３ａ、２ｂ、３ｂ、２ｃ、３ｃ、２ｄ及び３ｄとで構成される。
【００１５】
各光通信装置には一対の光ファイバが接続され、光通信システムは、双方向リング型の構成となっている。光ファイバ２ａ、２ｂ、２ｃ及び２ｄで構成される光リングは、現用系の光伝送路に相当するものとし、光ファイバ３ａ、３ｂ、３ｃ及び３ｄで構成される光リングは、予備系の光伝送路に相当するものとする。
【００１６】
本実施例において、現用系の光伝送路では、光パスが用いられ、予備系の光伝送路では、光パケットが用いられる。光パスとは、各光通信装置間に設定された通信経路のことをいう。一方、光パケットは、光信号がパケット化され、宛先がラベルに設定されて転送されるものをいう。すなわち、光パスでは、設定されたコネクション情報に従って、波長単位で光信号が伝送されるが、光パケットでは、パケットに付与されたラベルに従って、パケット単位で光信号が伝送される。
【００１７】
以下では、光パスは、λ２、λ３、・・・、λｎの波長を使用し、光パケットは、ラベルにλ０の波長を使用してペイロードにλ１、λ２、λ３、・・・、λｎの波長を使用するものとする。例えば、光パケットは、図２（ａ）に示す多波長光パケットでもよく、図２（ｂ）に示す単一波長光パケットでもよい（例えば、非特許文献１参照）。多波長光パケットでは、波長多重を用いてラベルとペイロードとが複数波長に並列に構成される。単一波長光パケットでは、ヘッダとペイロードとが単一チャネルに直列に並べて構成される。以下の説明では、光パケットが多波長光パケットであるものとする。
【００１８】
次に、各光通信装置について説明する。図３は、本発明の実施例に係る光通信装置１ａの構成例を示す図である。
【００１９】
光通信装置１ａは、第１の光信号分岐挿入手段としての光パスＡＤＭ５と、第２の光信号分岐挿入手段としての光パケットＡＤＭ８と、経路切替手段としての経路切替部１０及び１１とで構成される。
【００２０】
光パスＡＤＭ５は、光パスで伝送された光信号群（光パス信号）から光通信装置１ａ宛の光信号を分岐し（Ｄｒｏｐ）、また、光通信装置１ａ発の光信号を光パスで伝送する信号群に挿入する（Ａｄｄ）。より具体的には、光パスＡＤＭ５は、波長多重された光パス信号を受信し、光通信装置１ａ宛及びマルチキャストの光信号を取り出す。また、他の光通信装置１ｂ〜１ｄに送信する光信号を光パス信号に挿入して送信する。
【００２１】
光パケットＡＤＭ８は、光パケットで伝送された光信号群（光パケット信号）から光通信装置１ａ宛の光信号を分岐し（Ｄｒｏｐ）、また、光通信装置１ａ発の光信号を光パケットで伝送する信号群に挿入する（Ａｄｄ）。より具体的には、光パケットＡＤＭ８は、波長多重された光パケット信号を受信し、ラベルを解読して光通信装置１ａ宛及びマルチキャストの光信号を取り出す。また、他の光通信装置１ｂ〜１ｄに送信する光信号を光パケット信号に挿入して送信する。
【００２２】
経路切替部１０及び１１は、障害発生時に信号経路を切り替える。例えば、光ファイバ２ａに障害が検知された場合、経路切替部１０及び１１は、光ファイバ３ｄを用いて光パス信号を送信するように、信号経路を設定する。例えば、光ファイバ２ｄに障害が検知された場合、経路切替部１０及び１１は、光ファイバ３ａを用いて光パス信号を受信するように、信号経路を設定する。
【００２３】
経路切替部１０及び１１は、例えば、光経路切替器４と、光経路切替器６と、光スイッチ７と、光カプラ９とで構成される。
【００２４】
まず、障害が発生していない場合の信号経路について説明する。
【００２５】
障害が発生していない場合、光経路切替器４は、光ファイバ２ｄからの光パス信号を光パスＡＤＭ５に接続し、光パケットＡＤＭ８から出力された光パケット信号を光ファイバ３ｄに接続する。また、光経路切替器６は、光ファイバ３ａからの光パケット信号を光スイッチ７を介して光パケットＡＤＭ８に接続し、光パスＡＤＭ５から出力された光パス信号を光ファイバ２ａに接続する。なお、光経路切替器４及び６は、２×２のＭＥＭＳ（Micro Electro-Mechanical Systems）スイッチで構成されてもよい。
【００２６】
次に、光ファイバ２ａに障害が検知された場合の信号経路について説明する。図４は、光ファイバ２ａに障害が検知された場合の信号経路を示す図である。
【００２７】
光ファイバ２ａに障害が検知された場合、光経路切替器６は、光パスＡＤＭ５から出力された光パス信号を光ファイバ２ａに接続せずに、光スイッチ７に接続する。そして、光スイッチ７の出力をスルーパス側に切り替え、光経路切替器６からの光パス信号を光カプラ９に出力する。なお、スルーパスとは、光スイッチ７と光カプラ９とを直接接続する信号経路であり、光パケットＡＤＭ８を経由しない。
【００２８】
このように経路切替部１０及び１１で信号経路を切り替えることにより、光ファイバ２ｄからの光パス信号は、光経路切替器４→光パスＡＤＭ５→光経路切替器６→光スイッチ７→光カプラ９→光経路切替器４を経由して光ファイバ３ｄに出力される。
【００２９】
なお、光ファイバ３ａに障害が検知された場合も、同様の信号経路が設定されてもよい。
【００３０】
次に、光ファイバ２ｄに障害が検知された場合の信号経路について説明する。図５は、光ファイバ２ｄに障害が検知された場合の信号経路を示す図である。
【００３１】
光ファイバ２ｄに障害が検知された場合、光スイッチ７の出力をスルーパス側に切り替え、光経路切替器６からの光パス信号を光カプラ９に出力する。光経路切替器４は、光カプラ９から出力された光パス信号を光パスＡＤＭ５に接続する。
【００３２】
このように経路切替部１０及び１１で信号経路を切り替えることにより、光ファイバ３ａからの光パス信号は、光経路切替器６→光スイッチ７→光カプラ９→光経路切替器４→光パスＡＤＭ５→光経路切替器６を経由して光ファイバ２ａに出力される。
【００３３】
なお、光ファイバ３ｄに障害が検知された場合も、同様の信号経路が設定されてもよい。
【００３４】
他の光通信装置１ｂ〜１ｄも、光通信装置１ａと同様に構成される。
【００３５】
図６は光パスＡＤＭ５の構成例を示す図である。光パスＡＤＭ５に入力された光パス信号はＷＳＳ（Wave Selection Switch：波長選択スイッチ）１０１により、自光通信装置宛の光パス用の波長、全光通信装置宛の光パス（マルチキャスト）用の波長、及びそれ以外の光信号の波長（スルー）に分岐される。自光通信装置宛の光パス及びマルチキャスト用光パス（光カプラ１０２で分岐）は光カプラ１０３で合流され、光分波器１０４で波長毎に分波され、光パス（Ｄｒｏｐ）として出力される。また、自光通信装置から他光通信装置宛の光パス（Ａｄｄ）は、マルチキャスト用光パス及びスルーの光信号とともに光カプラ１０６で合流されて、光パスＡＤＭ５から出力される。
【００３６】
図７は光パケットＡＤＭ８の構成例を示す図である。光パケットＡＤＭ８に入力された光パケット信号は光カプラ２０１により分岐される。分岐された一方の光パケット信号は、光フィルタ２０２によりラベル（λ０）及びペイロード（λ１、λ２、λ３、・・・、λｎ）に分離される。ラベル受信器２０３はラベルを受信して解読し、当該光パケットが自光通信装置宛であるか、全光通信装置宛（マルチキャスト）であるか、他光通信装置宛（スルー）であるかを判別する。自光通信装置宛の場合、ペイロードは光分波器２０４で波長毎に分波され、ペイロード受信器２０５で受信される。また、光スイッチ２０６をＯＦＦにして当該光パケットが他光通信装置に転送されないようにする。全光通信装置宛（マルチキャスト）の場合、ペイロードは光分波器２０４で波長毎に分波され、ペイロード受信器２０５で受信される。また、光スイッチ２０６をＯＮにして当該光パケットを他光通信装置に転送できるようにする。他光通信装置宛の場合、ペイロードはペイロード受信器２０５で破棄される。また、光スイッチ２０６をＯＮにして当該光パケットを他光通信装置に転送できるようにする。また、自光通信装置から他光通信装置宛のパケットに関しては、ラベル送信器２０７でラベル（λ０）、ペイロード送信器２０８でペイロード（λ１、λ２、λ３、・・・、λｎ）を生成し、光合波器２０９及び光フィルタ２１０で合波して多波長光パケット化し、マルチキャスト用光パケット及びスルーの光パケットとともに光カプラ２１１で合流されて、光パケットＡＤＭ８から出力される。ここで、光フィルタ２０２及び光フィルタ２１０は、ＦＢＧ（Fiber Bragg Grating）等として構成されてもよく、光スイッチ２０６は、としてはＳＯＡ（Semiconductor Optical Amplifier）等として構成されてもよい。
【００３７】
なお、図６及び図７はそれぞれ光パスＡＤＭ５及び光パケットＡＤＭ８の構成の一例であり、本発明はここに記載した構成あるいは使用するデバイスなどに限定されない。
【００３８】
以下、図８及び図９を参照して光通信システムの動作を説明する。
【００３９】
障害が発生していない場合の光パス／光パケット経路を図８に示す。光ファイバ２ａ、２ｂ、２ｃ及び２ｄは光パス信号の伝送に用いられ、光ファイバ３ａ、３ｂ、３ｃ及び３ｄは光パケット信号の伝送に用いられる。
【００４０】
光ファイバ２ａ又は３ａに障害が検知された場合の光パス経路を図９に示す。光ファイバ２ａに接続されている光通信装置１ａは、前述したように光経路切替器６及び光スイッチ７を切り替えて、光ファイバ２ａに出力していた光パス信号を光ファイバ３ｄに出力する。光通信装置１ｄ及び１ｃは、光経路切替器４及び光経路切替器６はそのままにして光スイッチ７をスルーパス側に切り替える。また、光通信装置１ｂは、光スイッチ７をスルーパス側に切り替えるとともに、光経路切替器４を切り替えてスルーパスの出力を光パスＡＤＭ５に接続する。このようにして、障害が発生していない場合に光ファイバ２ａで伝送されていた光パス信号は、光通信装置１ａのスルーパス→光ファイバ３ｄ→光通信装置１ｄのスルーパス→光ファイバ３ｃ→光通信装置１ｃのスルーパス→光ファイバ３ｂ→光通信装置１ｂのスルーパスを経て、光通信装置１ｂの光パスＡＤＭ５に伝送される。なお、この場合には光パケット通信は行われない。
【００４１】
このように、光パス信号が優先され、光パケット信号が非優先となる。従って、光パスで優先度の高い通信サービスを提供し、光パケットで優先度の低い通信サービスを提供することで、光伝送路の使用効率を高めることができる。例えば、光パスでＱｏＳ（Quality of Service）保証型の通信サービスを提供し、光パケットでベストエフォート型の通信サービスを提供してもよい。
【００４２】
なお、本実施例では、光パス信号を優先し、光パケット信号を非優先としたが、光パケットＡＤＭ８の代わりに、光パスＡＤＭ５を用い、２台の光パスＡＤＭのうちどちらかの装置を流れる信号を優先とすることでも構わない。
【００４３】
また、本実施例では、光パケットが多波長光パケットであると仮定したが、光パケットは単一波長光パケットでもよい。光パスの波長が単一波長光パケットの波長に対応しない場合、その光パスの波長は、破棄される。
【００４４】
＜実施例２＞
次に、図３の光スイッチ７の代わりにＷＳＳ（波長選択スイッチ）１２を用いた実施例について説明する。図１０は、本発明の別の実施例に係る光通信装置１ａの構成例を示す図である。
【００４５】
光通信装置１ａは、第１の光信号分岐挿入手段としての光パスＡＤＭ５と、第２の光信号分岐挿入手段としての光パケットＡＤＭ８と、経路切替手段としての経路切替部１０及び１１とで構成される。
【００４６】
光パスＡＤＭ５及び光パケットＡＤＭ８の動作は、図３〜図７を参照して説明した動作と同じであるため、説明を省略する。
【００４７】
経路切替部１０及び１１は、障害発生時に信号経路を切り替える。例えば、光ファイバ２ａに障害が検知された場合、経路切替部１０及び１１は、光ファイバ３ｄを用いて光パス信号を送信するように、信号経路を設定する。例えば、光ファイバ２ｄに障害が検知された場合、経路切替部１０及び１１は、光ファイバ３ａを用いて光パス信号を受信するように、信号経路を設定する。また、光パスで使用されていない波長を用いて、光パケット信号を伝送する。
【００４８】
経路切替部１０及び１１は、例えば、光経路切替器４と、光経路切替器６と、ＷＳＳ１２と、光カプラ９とで構成される。ＷＳＳ１２は、波長単位で出力先を切り替える波長分離手段である。
【００４９】
障害が発生していない場合、光経路切替器４は、光ファイバ２ｄからの光パス信号を光パスＡＤＭ５に接続し、光パケットＡＤＭ８から出力された光パケット信号を光ファイバ３ｄに接続する。また、光経路切替器６は、光ファイバ３ａからの光パケット信号をＷＳＳ１２を介して光パケットＡＤＭ８に接続し、光パスＡＤＭ５から出力された光パス信号を光ファイバ２ａに接続する。この場合、ＷＳＳ１２は、全ての波長を光パケットＡＤＭ８に出力する。
【００５０】
次に、光ファイバ２ａ又は３ａに障害が検知された場合の信号経路について説明する。この場合の光パスの信号経路は、図４に示す信号経路と同様になる。
【００５１】
光ファイバ２ａ又は３ａに障害が検知された場合、光経路切替器６は、光パスＡＤＭ５から出力された光パス信号を光ファイバ２ａに接続せずに、ＷＳＳ１２に接続する。ＷＳＳ１２は、光パスで使用する波長をスルーパス側に出力するように設定する。また、ＷＳＳ１２は、光パスで使用していない波長を光パケットＡＤＭ８に出力するように設定する。本実施例では、少なくとも波長λ０及びλ１は光パスで使用されないため、光パケットＡＤＭ８側に出力される。
【００５２】
このように経路切替部１０及び１１で信号経路を切り替えることにより、光ファイバ２ｄからの光パス信号は、光経路切替器４→光パスＡＤＭ５→光経路切替器６→ＷＳＳ１２→光カプラ９→光経路切替器４を経由して光ファイバ３ｄに出力される。また、光パスで使用していない波長については、光ファイバ２ｄからの光パケット信号は、光経路切替器４→光パスＡＤＭ５→光経路切替器６→ＷＳＳ１２→光パケットＡＤＭ８→光カプラ９→光経路切替器４を経由して光ファイバ３ｄに出力される。なお、光パスで使用していない波長が光パスＡＤＭ５に入力された場合、自光通信装置宛の光パス用の波長及びマルチキャスト用の波長以外の波長（図６のスルーパス側）として扱われる。
【００５３】
次に、光ファイバ２ｄ又は３ｄに障害が検知された場合の信号経路について説明する。この場合の光パスの信号経路は、図５に示す信号経路と同様になる。
【００５４】
光ファイバ２ｄ又は３ｄに障害が検知された場合、ＷＳＳ１２は、光パスで使用する波長をスルーパス側に出力するように設定する。また、ＷＳＳ１２は、光パスで使用していない波長を光パケットＡＤＭ８に出力するように設定する。光経路切替器４は、光カプラから出力された光パス信号を光パスＡＤＭ５に接続する。
【００５５】
このように経路切替部１０及び１１で信号経路を切り替えることにより、光ファイバ３ａからの光パス信号は、光経路切替器６→ＷＳＳ１２→光カプラ９→光経路切替器４→光パスＡＤＭ５→光経路切替器６を経由して光ファイバ２ａに出力される。また、光パスで使用していない波長については、光ファイバ３ａからの光パケット信号は、光経路切替器６→ＷＳＳ１２→→光パケットＡＤＭ８→光カプラ９→光経路切替器４→光パスＡＤＭ５→光経路切替器６を経由して光ファイバ２ａに出力される。なお、光パスで使用していない波長が光パスＡＤＭ５に入力された場合、自光通信装置宛の光パス用の波長及びマルチキャスト用の波長以外の波長（図６のスルーパス側）として扱われる。
【００５６】
以下、図１１を参照して光通信システムの動作を説明する。
【００５７】
障害が発生していない場合の光パス／光パケット経路は、図８を参照して説明した経路と同様である。
【００５８】
光ファイバ２ａ又は３ａに障害が検知された場合の光パス／光パケット経路を図１１に示す。光ファイバ２ａに接続されている光通信装置１ａは、前述したように光経路切替器６を切り替えると共に、ＷＳＳ１２の設定を変更し、光ファイバ２ａに出力していた光パス信号を光ファイバ３ｄに出力する。また、光パスで使用していないが光パケットで使用されている波長も、光ファイバ３ｄに出力する。光通信装置１ｄ及び１ｃは、光経路切替器４及び光経路切替器６はそのままにしてＷＳＳ１２の設定を変更し、光パスで使用している波長をスルーパス側に出力する。光通信装置１ｄ及び１ｃは、光パスで使用していない波長を光パケットＡＤＭ８に出力する。また、光通信装置１ｂは、前述したようにＷＳＳ１２の設定を変更し、光パスで使用している波長をスルーパス側に出力し、光パスで使用していない波長を光パスＡＤＭ８に出力する。更に、光経路切替器４を切り替えてスルーパスの出力を光パスＡＤＭ５に接続する。このようにして、障害が発生していない場合に光ファイバ２ａで伝送されていた光パス信号は、障害発生時に、光通信装置１ａのスルーパス→光ファイバ３ｄ→光通信装置１ｄのスルーパス→光ファイバ３ｃ→光通信装置１ｃのスルーパス→光ファイバ３ｂ→光通信装置１ｂのスルーパスを経て、光通信装置１ｂの光パスＡＤＭ５に伝送される。
【００５９】
なお、光パケット通信は、光パスに使用されていない波長を使って継続できる。本実施例では、少なくともλ０及びλ１の波長は、光パケット用に使用できる。障害が発生していない場合に光ファイバ３ａで伝送されていた光パケットは、障害発生時に、光通信装置１ｂの光パスＡＤＭ（スルー）→光ファイバ２ｂ→光通信装置１ｃの光パスＡＤＭ（スルー）→光ファイバ２ｃ→光通信装置１ｄの光パスＡＤＭ（スルー）→光ファイバ２ｄ→光通信装置１ａの光パスＡＤＭ（スルー）を経て、光通信装置１ａの光パケットＡＤＭに伝送される。
【００６０】
＜実施例の効果＞
以上のように、本発明の実施例によれば、双方向リング型光通信システムにおいて、経路切替部を光分岐挿入装置（光パスＡＤＭ及び光パケットＡＤＭ）の外側に具備することにより、障害が発生した際に、現用系のファイバの信号を予備系のファイバで伝送することが可能になる。また、伝送信号に優先度をつけて、障害が発生していない場合には一方の光伝送路でＱｏＳ（Quality of Service）保証型の光パスによる通信サービスを提供しつつ、もう一方の光伝送路でベストエフォート型の光パケットによる通信サービスを提供することによって、光伝送路の帯域使用効率を高めることができる。一方、障害が検知された場合には光パケット用の光伝送路もしくは光パケット用の波長の一部を光パスに割り当てることにより、耐障害性の高い光パスによる通信サービスを実現でき、光通信システム全体としてマルチレベルサービスを実現することができる。
【００６１】
以上、本発明の実施例について説明したが、本発明は、上記の実施例に限定されることなく、特許請求の範囲内において、種々の変更・応用が可能である。
【符号の説明】
【００６２】
１ａ、１ｂ、１ｃ、１ｄ      光通信装置
２ａ、２ｂ、２ｃ、２ｄ      光ファイバ
３ａ、３ｂ、３ｃ、３ｄ      光ファイバ
４          光経路切替器
５          光パスＡＤＭ
６          光経路切替器
７          光スイッチ
８          光パケットＡＤＭ
９          光カプラ
１０、１１  経路切替部
１２        ＷＳＳ
【図１】
2011172024.tif 000003
【図２】
2011172024.tif 000004
【図３】
2011172024.tif 000005
【図４】
2011172024.tif 000006
【図５】
2011172024.tif 000007
【図６】
2011172024.tif 000008
【図７】
2011172024.tif 000009
【図８】
2011172024.tif 000010
【図９】
2011172024.tif 000011
【図１０】
2011172024.tif 000012
【図１１】
2011172024.tif 000013